(57)【要約】【課題】アンテナが筐体の外部に突出することがなく、小スペースで感度が十分に得られるアンテナを備えた携帯電話機を提供する。【解決手段】携帯電話機を構成する筐体１内の電子回路３を収納する収納ケース４の外表面に、導電層を形成し、この導電層をアンテナ５としたものである。このように構成したことにより、アンテナのための特別の収納スペースを確保することなくアンテナ機能を得ることができ、携帯電話機の小形化が容易に実現できる構成となる。【選択図】        図２
2004320188.tif 000002
【特許請求の範囲】
【請求項１】
収納ケースに収納された電子回路が筐体内に収容され、一面に操作ボタンおよび表示器が配置された携帯電話機において、上記収納ケースの外表面に導電層を形成し、該導電層をアンテナとして使用する構成としたことを特徴とする携帯電話機。
【請求項２】
上記電子回路収納ケースの内面側にはリブ補強が形成された構成としたことを特徴とする請求項１記載の携帯電話機。
【請求項３】
収納ケースに収納された電子回路が筐体内に収容され、一面に操作ボタンおよび表示器が配置され、上記電子回路を収納する収納ケースの外表面に導電層を形成し、該導電層をアンテナとして使用する携帯電話機の製造方法であって、上記電子回路を収納する収納ケースは、成形する成形型枠の上記収納ケースの外表面となる内面に、上記アンテナを構成する良導電性の金属薄膜を配置し、成形樹脂を注入して成形することを特徴とする携帯電話機の製造方法。
【請求項４】
収納ケースに収納された電子回路が筐体内に収容され、一面に操作ボタンおよび表示器が配置され、上記電子回路を収納する収納ケースの外表面に導電層を形成し、該導電層をアンテナとして使用する携帯電話機の製造方法であって、上記電子回路を収納する収納ケースは、成形する成形型枠の上記収納ケースの外表面となる内面に機械的強度が得られる金属板を配置し、成形樹脂を注入して成形し、成形品を酸性液中に浸漬し、金属部分を陽極として電界エッチングするとともに、樹脂部分を酸エッチングすることにより、上記成形品の表面を粗化し、粗化された表面に上記アンテナを構成する良導電性金属をメッキすることを特徴とする携帯電話機の製造方法。
【発明の詳細な説明】
【０００１】
【発明の属する技術分野】
この発明は、アンテナをケース内に内蔵した携帯電話機に関するものである。
【０００２】
【従来の技術】
携帯電話機は通信技術の向上により、飛躍的に普及しており、その構成の小形化、高性能化の追求も厳しく行われている。携帯電話機の小型化が進むと、信号を送受信するアンテナも小さくすることが必要となるが、アンテナが小形化されると、アンテナ性能の確保が困難になる問題点があるが、必要な性能を確保するために、種々のアンテナ構造が提案されている。
従来の携帯電話機では、ワイヤ状のホイップアンテナの先端部にヘリカルアンテナが設けられた構成が多く使用されているが、この場合は、待機時には筐体内にホイップアンテナ部分を収納し、ヘリカルアンテナ部分が筐体外に突出する状態であり、通話時にホイップアンテナを引き出して使用する。
また、アンテナを筐体内に収納した構成のものは、特許文献１に示されたものがある。その構成は、携帯電話機の筐体内の上部に薄い金属パターンを筐体の内壁面に沿って曲面状に形成されたダイポール構成のアンテナを形成した構成が示されている。
【０００３】
【特許文献１】
特開２００１−００７６２３号公報
【０００４】
【発明が解決しようとする課題】
以上のように従来の携帯電話機のアンテナがワイヤ状のホイップアンテナの先端部にヘリカルアンテナが設けられた構成では、待機時には筐体内にホイップアンテナ部分を収納し、ヘリカルアンテナ部分が筐体外に突出する状態とし、通話時にホイップアンテナを引き出して使用するものであり、アンテナの一部が常に筐体から突出して小形化の阻害要因になり、操作性において煩わしさが伴う問題点がある。また、特許文献１に示された筐体内の上部に薄い金属パターンを筐体の内壁面に沿って曲面状に形成されたダイポール構成のアンテナが配置された構成では、アンテナを収容するスペースが必要であり、小形化するために確保できるスペースが限られた状態では、アンテナ感度が充分に得られないという問題点があった。
【０００５】
この発明は、携帯電話機のアンテナが筐体の外部に突出することがなく、しかも小スペースでアンテナ感度が十分に得られる、携帯電話機を提供することを目的とする。
【０００６】
【課題を解決するための手段】
この発明に係る携帯電話機は、筐体内の電子回路を収納する収納ケースの外表面に導電層を形成し、この導電層をアンテナとして使用する構成としたものである。
【０００７】
【発明の実施の形態】
実施の形態１．
図１は実施の形態１の携帯電話機の構成を示す斜視図である。図２は筐体内の電子回路が収納ケースに収められ、アンテナ素子、整合回路が装着された状態を示す斜視図である。
この発明による携帯電話機は図１に示すとおりの構成であり、前面に操作ボタンおよび表示部が装着される開口部が形成された筐体１の内部に内部構成部材２が収納された構成である。
内部構成部材２は、電子回路３を収納ケース４内に収納し、収納ケース４の表面に導電層を形成し、これをアンテナ５とし、収納ケース４の外周面にアンテナ素子６、整合回路７が装着された構成である。
【０００８】
収納ケース４の表面のアンテナ５として利用する導電層は、導電性の良好な金属材料の例えば銅の皮膜を形成した構成としている。皮膜の形成は、通常行われているメッキ法で行われ、表面エッチング−活性化−触媒担持−無電解メッキ−電気メッキの手順で導電層が形成できる。導電層の厚さは０．５μｍ以上であればよく、２μｍ以上が好ましい。
【０００９】
収納ケース４は、良電導性の材料である銅などの金属薄膜を成形型枠内の収納ケース４の外表面となる位置に予め添着しておき、成形樹脂を射出成形する方法で製作するものであってもよい。
【００１０】
実施の形態２．
実施の形態１に示した携帯電話機の筐体内に収容される電子回路の収納ケースは、携帯電話機として小形化するためには極力薄くすることが必要となるが、薄くすると機械的強度が弱くなる問題点がある。
実施の形態２は、薄く形成しても機械強度が得られる収納ケース４の製造方法を示すものである。
【００１１】
成形する成形型枠の収納ケース４の外表面となる位置に機械的強度が得られる例えばステンレス等の所定の寸法の金属薄板を配置し、成形樹脂を注入して成形した構成とし、成形された成形品を酸性液中に浸漬し、金属薄板の部分は電解エッチングするとともに、樹脂部分は酸エッチングにより、成形品の表面を粗化し、粗化された表面に銅等の良導電性金属をメッキし、アンテナを構成する導電層を形成する。
【００１２】
このように、携帯電話機の電子回路を収納する収納ケース４を製造すると、厚さを薄くしても必要な機械的強度を備えた収納ケース４が得られる。また、製造された収納ケース４の導電層をアンテナ５とする携帯電話機を構成すると、携帯電話機としてアンテナを収納する特別の収納スペースを確保しなくても、必要なアンテナ機能が確保でき、携帯電話機の小形化が容易に実現できる。
【００１３】
実施の形態３．
携帯電話機の小形化には収納ケースを薄く形成することも必要であるが、あまり薄くすると機械的強度が得られない問題点がある。実施の形態１の構成で機械的強度が必要となる場合には、図３に示すように収納ケース１４の内側にリブ補強１４ａを設けた構成にすることで、薄くて機械強度を備えた収納ケースが得られる。
【００１４】
【発明の効果】
この発明に係る携帯電話機は、筐体内の電子回路を収納する収納ケースの外表面に導電層を形成し、この導電層をアンテナとして使用する構成としたので、携帯電話機の小形化が容易に実現できる。
【図面の簡単な説明】
【図１】実施の形態１の携帯電話機の構成を示す斜視図である。
【図２】携帯電話機に収納される内部構成部材の斜視図である。
【図３】内面側にリブ補強が設けられた収納ケースの断面図である。
【符号の説明】
１  筐体、２  内部収容部材、３  電子回路、４  収納ケース、
５  アンテナ、６  アンテナ素子、７  整合部品、１４  収納ケース。
【図１】
2004320188.tif 000003
【図２】
2004320188.tif 000004
【図３】
2004320188.tif 000005